【手続補正書】
【提出日】平成17年7月1日(2005.7.1)
【手続補正１】
【補正対象書類名】明細書
【補正対象項目名】特許請求の範囲
【補正方法】変更
【補正の内容】
【特許請求の範囲】
【請求項１】
複数のプロトコル階層を有する無線通信システムにおいて、
第３プロトコル階層から下位階層である第２プロトコル階層に使用者装置の識別子タイプ指示子に関連するデータ及びパラメータを提供する工程と、
受信されたパラメータによって使用者装置の識別子タイプ指示子を第２プロトコル階層で設定する工程と、
前記第２プロトコル階層から第１プロトコル階層に前記使用者装置の識別子タイプ指示子及びデータを提供する工程と、
前記第１プロトコル階層で、前記使用者装置の識別子タイプ指示子によって使用者装置の識別子タイプ及び使用者装置の識別子を該第１プロトコル階層データパケットに貼付する工程と
を順次行うことを特徴とする使用者装置の識別子設定方法。
【請求項２】
前記第３プロトコル階層は、
無線資源制御（Ｒａｄｉｏ  Ｒｅｓｏｕｒｃｅ  Ｃｏｎｔｒｏｌ：ＲＲＣ）階層である請求項１に記載の使用者装置の識別子設定方法。
【請求項３】
前記第２プロトコル階層は、
無線リンク制御（Ｒａｄｉｏ  Ｌｉｎｋ  Ｃｏｎｔｒｏｌ：ＲＬＣ）階層である請求項１に記載の使用者装置の識別子設定方法。
【請求項４】
前記第１プロトコル階層は、
媒体接続制御（Ｍｅｄｉｕｍ  Ａｃｃｅｓｓ  Ｃｏｎｔｒｏｌ：ＭＡＣ）階層である請求項１に記載の使用者装置の識別子設定方法。
【請求項５】
前記第１プロトコル階層データパケットは、
ＭＡＣプロトコルデータユニット（Ｐｒｏｔｏｃｏｌ  Ｄａｔａ  Ｕｎｉｔ：ＰＤＵ）である請求項４に記載の使用者装置の識別子設定方法。
【請求項６】
前記ＭＡＣ  ＰＤＵは、
ＭＡＣサービスデータユニット（Ｓｅｒｖｉｃｅ  Ｄａｔａ  Ｕｎｉｔ：ＳＤＵ）、使用者装置の識別子、使用者装置の識別子タイプにより構成された請求項５に記載の使用者装置の識別子設定方法。
【請求項７】
前記ＭＡＣ階層は、
ＲＮＴＩ（Ｒａｄｉｏ  Ｎｅｔｗｏｒｋ  Ｔｅｍｐｏｒａｒｙ  Ｉｄｅｎｔｉｆｙ）と関連する使用者装置の識別子タイプを指示する使用者装置の識別子タイプ指示子とＭＡＣ  ＳＤＵを受信して、ＭＡＣ  ＰＤＵの一部として、特に、ＭＡＣ  ＰＤＵヘッダーの一部として、使用者装置の識別子タイプと使用者装置の識別子を設定する請求項４に記載の使用者装置の識別子設定方法。
【請求項８】
前記使用者装置の識別子タイプ指示子は、
少なくともＣ−ＲＮＴＩ（Ｃｅｌｌ  Ｒａｄｉｏ  Ｎｅｔｗｏｒｋ  Ｔｅｍｐｏｒａｒｙ  Ｉｄｅｎｔｉｔｙ）及びＵ−ＲＮＴＩ（ＵＴＲＡＮ  Ｒａｄｉｏ  Ｎｅｔｗｏｒｋ  Ｔｅｍｐｏｒａｒｙ  Ｉｄｅｎｔｉｔｙ）のうち何れか一つに関連する請求項７に記載の使用者装置の識別子設定方法。
【請求項９】
前記使用者装置の識別子タイプは、
無線ベアラ（Ｒａｄｉｏ  ｂｅａｒｅｒ）を設定する無線資源の決定時に使用され、前記使用者装置の識別子タイプ指示子は、前記第２プロトコル階層から前記第１プロトコル階層に伝送される請求項７に記載の使用者装置の識別子設定方法。
【請求項１０】
前記使用者装置の識別子タイプ指示子は、
無線通信網で使用される使用者装置の識別子タイプが変更される時、前記第３プロトコル階層の制御情報によって動的に更新される請求項７に記載の使用者装置の識別子設定方法。
【請求項１１】
前記使用者装置の識別子タイプは、
ＲＲＣ階層からＲＬＣ階層に伝送されたＲＬＣ  ＳＤＵによって変化する請求項１０に記載の使用者装置の識別子設定方法。
【請求項１２】
前記使用者装置の識別子タイプ指示子と関連するパラメータは、メッセージタイプ指示子である請求項１に記載の使用者装置の識別子設定方法。
【請求項１３】
前記使用者装置の識別子タイプ指示子と関連するメッセージタイプ指示子は、ＲＲＣ階層からＲＬＣ階層に伝送され、前記ＲＬＣ階層は、受信された使用者装置の識別子タイプ指示子を、無線通信システムで使用者装置を管理するためのネットワーク領域に適当な使用者装置を区別するように設定する請求項１２に記載の使用者装置の識別子設定方法。
【請求項１４】
前記使用者装置は、
ＭＡＣ階層で形成されたＲＬＣ  ＰＤＵが他の使用者装置タイプを有するＲＲＣメッセージを含むとき、使用者装置の識別子により区別される請求項１３に記載の使用者装置の識別子設定方法。
【請求項１５】
前記使用者装置は、
ＲＬＣ階層がＲＲＣ階層ではない他の階層からデータを受信するとき、セルレベルで区別可能な使用者装置の識別子によって区別される請求項１３に記載の使用者装置の識別子設定方法。
【請求項１６】
複数のプロトコル階層と、
第３プロトコル階層から下位階層の第２プロトコル階層にデータ及び、使用者装置の識別子タイプ指示子と関連するデータ及びパラメータを提供する手段と、
前記第２プロトコル階層で前記受信されたパラメータによって使用者装置の識別子タイプ指示子を設定する手段と、
前記第２プロトコル階層から第１プロトコル階層に前記使用者装置の識別子タイプ指示子及びデータを提供する手段と、
前記第１プロトコル階層で、前記使用者装置の識別子タイプ指示子によって使用者装置の識別子タイプ及び使用者装置の識別子を該第１プロトコル階層データパケットに貼付する手段と
を備えたことを特徴とする無線通信網における使用者装置の識別システム。
【請求項１７】
前記第３プロトコル階層は無線資源制御（Ｒａｄｉｏ  Ｒｅｓｏｕｒｃｅ  Ｃｏｎｔｒｏｌ：ＲＲＣ）階層であり、前記第２プロトコル階層は無線リンク制御（Ｒａｄｉｏ  Ｌｉｎｋ  Ｃｏｎｔｒｏｌ：ＲＬＣ）階層であり、前記第１プロトコル階層は媒体接続制御（Ｍｅｄｉｕｍ  Ａｃｃｅｓｓ  Ｃｏｎｔｒｏｌ：ＭＡＣ）階層である請求項１６に記載の無線通信網における使用者装置の識別システム。
【請求項１８】
前記第１プロトコル階層データパケットは、
ＭＡＣプロトコルデータユニット（Ｐｒｏｔｏｃｏｌ  Ｄａｔａ  Ｕｎｉｔ：ＰＤＵ）である請求項１７に記載の無線通信網における使用者装置の識別システム。
【請求項１９】
前記ＭＡＣ  ＰＤＵは、
ＭＡＣサービスデータユニット（Ｓｅｒｖｉｃｅ  Ｄａｔａ  Ｕｎｉｔ：ＳＤＵ）、使用者装置の識別子、使用者装置の識別子タイプにより構成された請求項１８に記載の使用者装置の識別子設定方法。
【請求項２０】
前記ＭＡＣ階層は、
ＲＮＴＩ（Ｒａｄｉｏ  Ｎｅｔｗｏｒｋ  Ｔｅｍｐｏｒａｒｙ  Ｉｄｅｎｔｉｆｙ）と関連する使用者装置タイプを示す使用者装置の識別子タイプ指示子とＭＡＣ  ＳＤＵを受信して、ＭＡＣ  ＰＤＵの一部として、特に、ＭＡＣ  ＰＤＵヘッダーの一部として、使用者装置の識別子タイプと使用者装置の識別子を設定する請求項１８に記載の使用者装置の識別子設定方法。
【請求項２１】
前記使用者装置の識別子タイプ指示子は、
少なくともＣ−ＲＮＴＩ（Ｃｅｌｌ  Ｒａｄｉｏ  Ｎｅｔｗｏｒｋ  Ｔｅｍｐｏｒａｒｙ  Ｉｄｅｎｔｉｔｙ）及びＵ−ＲＮＴＩ（ＵＴＲＡＮ  Ｒａｄｉｏ  Ｎｅｔｗｏｒｋ  Ｔｅｍｐｏｒａｒｙ  Ｉｄｅｎｔｉｔｙ）のうち何れか一つと関連する請求項１６に記載の使用者装置の識別子設定方法。
【請求項２２】
前記使用者装置の識別子タイプは、
無線ベアラ（Ｒａｄｉｏ  ｂｅａｒｅｒ）を設定する無線資源の決定時に使用され、前記使用者装置の識別子タイプ指示子は、前記第２プロトコル階層から前記第１プロトコル階層に伝送される請求項１６に記載の使用者装置の識別子設定方法。
【請求項２３】
前記使用者装置の識別子タイプ指示子は、
無線通信網で使用される使用者装置タイプが変更される時、前記第３プロトコル階層の制御情報によって動的に更新される請求項１６に記載の使用者装置の識別子設定方法。
【請求項２４】
前記第３プロトコル階層から提供される使用者装置の識別子タイプ指示子と関連するパラメータは、メッセージタイプ指示子である請求項１６に記載の使用者装置の識別子設定方法。
【請求項２５】
前記使用者装置の識別子タイプ指示子と関連するメッセージタイプ指示子及びデータは、第３プロトコル階層から第２プロトコル階層に伝送され、前記第２プロトコル階層は、受信された使用者装置の識別子タイプ指示子を無線通信システムで使用者装置を適切に管理するためのネットワーク領域に適当な使用者装置を区別するように設定する請求項２４に記載の使用者装置の識別子設定方法。